(57)【要約】【課題】簡便に結合・取外しができ、装着部材に寸法変化が生じても、挿入時の負荷や結合後の固定力の変動が小さい、塗膜転写具と事務用品の結合構造を提供すること。【解決手段】塗膜転写具と事務用品の結合構造は、事務用品一体式塗膜転写具１０における、塗膜転写具１２の端部に一体形成された軸形状装着部材２０と、事務用品１４の端部に一体形成された軸穴形状装着部材３０からなる。軸形状装着部材２０に凸部２２が形成され、軸穴形状装着部材３０側面に、凸部２２が挿通できるＬ字状の切欠き溝３２が設けられ、切欠き溝３２の終端部に凸部２２を固定するための留め部３３が設けられている。凸部２２を切欠き溝３２に挿通し、軸方向最奥まで達したら、塗膜転写具１２を周方向に回転させると、凸部２２が留め部３３で固定され、塗膜転写具１２と事務用品１４が互いに固定されて結合される。【選択図】図１
2005096441.tif 000002
【特許請求の範囲】
【請求項１】
事務用品一体式塗膜転写具における塗膜転写具と事務用品の結合構造であって、
前記塗膜転写具の端部に一体形成された装着部材と、前記事務用品の端部に一体形成された装着部材とからなり、
前記装着部材は、一方が軸形状、他方が軸穴形状に形成され、前記軸形状装着部材に凸部が形成され、前記軸穴形状装着部材に、前記凸部が挿通できるＬ字状の切欠き溝が設けられ、該切欠き溝の終端部に前記凸部を固定するための留め部が設けられていることを特徴とする、
塗膜転写具と事務用品の結合構造。
【請求項２】
事務用品一体式塗膜転写具における塗膜転写具と事務用品の結合構造であって、
前記塗膜転写具の端部に一体形成された装着部材と、前記事務用品の端部に一体形成された装着部材とからなり、
前記装着部材は、一方が軸形状、他方が軸穴形状に形成され、前記軸穴形状装着部材は軸穴を上下に分ける仕切りを有し、該仕切りは挿通穴を有し、前記軸形状装着部材は前記挿通穴に対応する形状の突起体を有し、前記仕切り及び前記突起体には凹部又は凸部が設けられ、
前記突起体が前記挿入穴に挿通され、前記凹部と前記凸部が嵌合することで、前記軸形状装着部材と前記軸穴形状装着部材が固定されることを特徴とする、
塗膜転写具と事務用品の結合構造。
【請求項３】
事務用品一体式塗膜転写具における塗膜転写具と事務用品の結合構造であって、
前記塗膜転写具の端部に一体形成された装着部材と、前記事務用品の端部に一体形成された装着部材とからなり、
前記装着部材は、一方が軸形状、他方が軸穴形状に形成され、前記軸形状装着部材は縦断面同形状の突起体を有し、前記軸穴形状装着部材は側面に前記突起体に対応する形状の切欠き溝を有し、前記突起体と前記切欠き溝には凹部又は凸部が設けられ、
前記突起体が前記切欠き溝に挿通され、前記凹部と前記凸部が嵌合することで、前記軸形状装着部材と前記軸穴形状装着部材が固定されることを特徴とする、  塗膜転写具と事務用品の結合構造。
【発明の詳細な説明】
【技術分野】
【０００１】
本発明は、文字修正用塗膜、接着用粘着材膜、装飾用塗膜等を被転写面に押圧転写するための塗膜転写具と筆記具等の事務用品を着脱可能に一体化させる、塗膜転写具と事務用品の結合構造に関する。
【背景技術】
【０００２】
従来から、塗膜転写具と、ボールペンのような事務用品とを一体化し、塗膜転写具を交換可能とした事務用品一体式塗膜転写具として、様々な製品が開発されてきた。
例えば、特許文献１には、図９に示すような事務用品一体式塗膜転写具が開示されている。この事務用品一体式塗膜転写具６０は、長手方向に向かって二分割型となるケース６１と、一方の面に粘着剤又は修正剤等の転着剤が積層された転着テープＴを被転着面に押付けて転着剤を転着する転着ヘッド６４を具えて構成されている。
【０００３】
前記ケース６１は、ケース要素６１Ａとケース要素６１Ｂからなり、各ケース要素は、それぞれ二つの皿状部材を相互に嵌合することによって組立てられている。また、各ケース要素６１Ａ、６１Ｂは、それらの相対する端部領域を受入れ可能な凹部形状を具えた連結部材６６によって、相互に着脱可能に連結されている。
ケース要素６１Ａ側は塗膜転写具として機能し、ケース要素６１Ｂ側は先端側にペン先６８及びキャップ６９を具えたペンとして機能するようになっている。  
【０００４】
また、特許文献２には、図１０に示すような事務用品一体式塗膜転写具が開示されている。この事務用品一体式塗膜転写具７０は、連結筒７１を介して一体的にされたペン部７２と、このペン部７２とは反対側の位置に設けられた塗膜転写具７３とを具えて構成され、塗膜転写具７３の端部に設けられた突部と、連結筒７１に形成された穴が嵌合することで、塗膜転写具７３は連結筒７１と着脱可能に連結される。
【０００５】
しかし、このように、塗膜転写具を事務用品に連結部材を介して連結した事務用品一体式塗膜転写具では、塗膜転写具の使用後、新たな塗膜転写具と交換する際、使用済塗膜転写具を事務用品から取外さなければならないが、誤って連結部材ごと事務用品から外れてしまうこともある。こうなると、新たな塗膜転写具を事務用品に取付けるのが面倒であるばかりでなく、このような事務用品一体式塗膜転写具では部品点数が多くなるという問題がある。
【０００６】
このような問題に対して、図１１に示すような、塗膜転写具８２と事務用品８４とを直接的に着脱可能に一体化した事務用品一体式塗膜転写具８０がある。
この事務用品一体式塗膜転写具８０には、塗膜転写具８２と筆記具等の事務用品８４を着脱可能に一体化させるための結合構造として、塗膜転写具８２の端部に一体成形された軸形状の装着部材８６と、事務用品の端部に一体形成された軸穴形状の装着部材８８が設けられている。
【０００７】
これらの装着部材８６，８８には、図１２に示すように、螺子山を設けたり（例えば、特許文献３参照。）、図１３に示すように凹凸を設けることができる。凹凸を設けた場合は、それぞれの装着部材８６，８８の凹部と凸部を嵌め合わせることで、結合が行われる。
【０００８】
この事務用品一体式塗膜転写具８０の結合構造によれば、事務用品８４と塗膜転写具８２との間に中間部材である連結部材を介して連結することなく、事務用品８４に形成された装着部材８８と、塗膜転写具８２に形成された装着部材８６とを嵌合するだけで、事務用品８４と塗膜転写具８２とを一体化できるので、使用済塗膜転写具を交換する際、使用済塗膜転写具を事務用品から直接取外すことができ、次に、新たな塗膜転写具を事務用品に取付けるだけで、確実、容易に事務用品を装着することができる。
【特許文献１】特開平１０−２５０５６号公報
【特許文献２】特開平１０−１８１２８８号公報
【特許文献３】特表２００３−５１１２６５号公報
【発明の開示】
【発明が解決しようとする課題】
【０００９】
しかし、図１２のように装着部材８６，８８に螺子山と螺子溝を設ける場合、螺子のため回す手間が必要であるので、結合・取外しが面倒である。また、製品形状を作るための金型構造が複雑であるので、製造に時間と手間がかかるという問題を有する。
一方、図１３のように装着部材８６，８８に凹凸を設ける場合、装着部材８６，８８の寸法の変化により挿入時の負荷や、結合後の固定力が変化しやすく、厳密な寸法管理が必要であることから、精度良く加工しなければならず、製造に時間と手間がかかるという問題を有する。
【００１０】
本発明は、上述した問題に鑑み、簡便に結合・取外しができ、装着部材に寸法変化が生じても、挿入時の負荷や結合後の固定力の変動が小さく、短時間・低コストで加工できる塗膜転写具と事務用品の結合構造を提供することを目的とする。
【課題を解決するための手段】
【００１１】
本発明は、事務用品一体式塗膜転写具における塗膜転写具と事務用品の結合構造であって、前記塗膜転写具の端部に一体形成された装着部材と、前記事務用品の端部に一体形成された装着部材とからなり、前記装着部材は、一方が軸形状、他方が軸穴形状に形成され、前記軸形状装着部材に凸部が形成され、前記軸穴形状装着部材に、前記凸部が挿通できるＬ字状の切欠き溝が設けられ、該切欠き溝の終端部に前記凸部を固定するための留め部が設けられていることを特徴とする塗膜転写具と事務用品の結合構造、及び、
事務用品一体式塗膜転写具における塗膜転写具と事務用品の結合構造であって、前記塗膜転写具の端部に一体形成された装着部材と、前記事務用品の端部に一体形成された装着部材とからなり、前記装着部材は、一方が軸形状、他方が軸穴形状に形成され、前記軸穴形状装着部材は軸穴を上下に分ける仕切りを有し、該仕切りは挿通穴を有し、前記軸形状装着部材は前記挿通穴に対応する形状の突起体を有し、前記仕切り及び前記突起体には凹部又は凸部が設けられ、前記突起体が前記挿入穴に挿通され、前記凹部と前記凸部が嵌合することで、前記軸形状装着部材と前記軸穴形状装着部材が固定されることを特徴とする塗膜転写具と事務用品の結合構造、及び、
事務用品一体式塗膜転写具における塗膜転写具と事務用品の結合構造であって、前記塗膜転写具の端部に一体形成された装着部材と、前記事務用品の端部に一体形成された装着部材とからなり、前記装着部材は、一方が軸形状、他方が軸穴形状に形成され、前記軸形状装着部材は縦断面同形状の突起体を有し、前記軸穴形状装着部材は側面に前記突起体に対応する形状の切欠き溝を有し、前記突起体と前記切欠き溝には凹部又は凸部が設けられ、前記突起体が前記切欠き溝に挿通され、前記凹部と前記凸部が嵌合することで、前記軸形状装着部材と前記軸穴形状装着部材が固定されることを特徴とする塗膜転写具と事務用品の結合構造によって、前記の課題を解決した。
【発明の効果】
【００１２】
本発明によれば、装着部材の形状が単純であるので、装着部材に寸法変化が生じても、挿入時の負荷や結合後の固定力の変動を小さくできる。また、厳密な寸法管理の必要がなくなることから、事務用品一体式塗膜転写具を短時間・低コストで製造することができる。
また、螺子式ではなく、装着部材の嵌合により結合させるので、結合・取外しが簡便にできる。
【発明を実施するための最良の形態】
【００１３】
本発明の第一の塗膜転写具と事務用品の結合構造を、図１乃至図３に基づいて説明する。
図１に示すように、本発明の第一の塗膜転写具１２と事務用品１４の結合構造は、事務用品一体式塗膜転写具１０における、塗膜転写具１２の端部に一体形成された軸形状装着部材２０と、事務用品１４の端部に一体形成された軸穴形状装着部材３０からなる。本発明の結合構造は、軸形状装着部材２０に凸部２２が形成され、軸穴形状装着部材３０側面に、凸部２２が挿通できるＬ字状の切欠き溝３２が設けられ、切欠き溝３２の終端部に凸部２２を固定するための留め部３３が設けられている。
【００１４】
塗膜転写具１２と事務用品１４の固定は、凸部２２を切欠き溝３２に挿通し、軸方向最奥まで達したら、塗膜転写具１２を周方向に回転させ、凸部２２を留め部３３で固定することでなされる。このとき、留め部３３は凸部２２を乗り越えさせて元に戻らなければならないので、軸穴形状装着部材３０はそのために必要な弾性を有する材料で構成される。このことは、以下の他の実施形態の結合構造についても同様である。
留め部３３は、図２（ａ）に示すように切欠き溝３２の一方側に設けてもよく、図２（ｂ）のように切欠き溝３２両側に設けてもよい。
また、切欠き溝３２は、図１に示すように、外周側まで切取られた形状であって、図３に示すように、内周側のみに溝を設けたものであってもよい。
【００１５】
本発明の第二の塗膜転写具と事務用品の結合構造を、図４及び図５に基づいて説明する。
図４、図５に示すように、本発明の第二の塗膜転写具と事務用品の結合構造は、第一の塗膜転写具と事務用品の結合構造と同様、事務用品一体式塗膜転写具１０における、塗膜転写具１２の端部に一体形成された軸形状装着部材２０と、事務用品１４の端部に一体形成された軸穴形状装着部材３０からなるものであるが、軸穴形状装着部材３０は軸穴を上下を分ける仕切り３４を有し、仕切り３４は挿通穴３５を有し、軸形状装着部材２０は挿通穴３５に対応する形状の突起体２４を有し、仕切り３４及び突起体２４にはそれぞれ凹部３６、凸部２５が設けられ、突起体２４を挿入穴３５に挿入し、一方向に回転させると、凹部３６と凸部２５が嵌合して、軸形状装着部材２０と軸穴形状装着部材３０が固定される。
仕切り３４より奥にある軸穴部分の軸方向長さは突起体２４の軸方向長さとほぼ同じであり、凹部３６と凸部２５が嵌合した状態では、突起体２４は軸方向にも動かないようになっている。
【００１６】
図４、図５に示す結合構造は、仕切り３４に凹部、突起体２４に凸部を設けているが、これに限るものではなく、逆に、仕切り３４に凸部、突起体２４に凹部を設けてもよい。
また、挿通穴３５と突起体２４の形状は、図５に示した形状のほかに、長方形、楕円、菱形等も適宜選択できるものである。
【００１７】
次に、本発明の第三の塗膜転写具と事務用品の結合構造を、図６乃至図８に基づいて説明する。
本発明の第三の塗膜転写具と事務用品の結合構造は、図６に示すように、第一及び第二の塗膜転写具と事務用品の結合構造と同様、事務用品一体式塗膜転写具１０における、塗膜転写具１２の端部に一体形成された軸形状装着部材２０と、事務用品１４の端部に一体形成された軸穴形状装着部材３０からなるものであるが、軸形状装着部材２０は縦断面同形状の突起体２６を有し、軸穴形状装着部材３０は側面に突起体２６に対応する形状の切欠き溝３７を有し、突起体２６と切欠き溝３７には凸部２７、凹部３８がそれぞれ設けられ、突起体２６が切欠き溝３７に横方向から挿通され、図７（ａ）に示すように、凹部３８と凸部２７が嵌合することで、軸形状装着部材２０と軸穴形状装着部材３０が固定されるようになっている。
【００１８】
なお、図６、図７（ａ）には、突起体２６に凸部２７、切欠き溝３７に凹部３８を設けた結合構造が示されているが、これに限るものではなく、逆に、図７（ｂ）に示すように、突起体２６に凹部２８、切欠き溝３７に凸部３９を設けてもよい。
また、突起体２６の断面は、図６に示す長方形以外にも、図８に示すように円形にすることもできる。
【００１９】
なお、これまで、塗膜転写具に軸形状装着部材、事務用品に軸穴形状装着部材を設ける結合構造を例示してきたが、この関係を逆にして、塗膜転写具に軸穴形状装着部材、事務用品に軸形状装着部材を設けてもよい。
また、事務用品とは、ボールペン等の筆記具に限るものではなく、スティックのり、消しゴム、印鑑等、一般に使用される事務用品であればよい。
【００２０】
以上説明したように、本発明の結合構造によれば、装着部材の形状自体を利用して結合できるので、装着部材に寸法変化が生じても、挿入時の負荷や結合後の固定力の変動を小さくすることができる。また、厳密な寸法管理の必要がなくなることから、事務用品一体式塗膜転写具を短時間・低コストで製造することができる。
また、螺子式ではなく、装着部材の嵌合により結合させるので、結合・取外しが簡便にできるという効果を奏する。
【図面の簡単な説明】
【００２１】
【図１】本発明の第一の塗膜転写具と事務用品の結合構造の実施形態の斜視図。
【図２】本発明の第一の塗膜転写具と事務用品の結合構造の留め部の配置例を示す図。
【図３】本発明の第一の塗膜転写具と事務用品の結合構造のさらなる実施形態の斜視図。
【図４】本発明の第二の塗膜転写具と事務用品の結合構造の断面図。
【図５】本発明の第二の塗膜転写具と事務用品の結合構造の軸穴形状装着部材の正面図。
【図６】本発明の第三の塗膜転写具と事務用品の結合構造の実施形態の斜視図。
【図７】本発明の第三の塗膜転写具と事務用品の結合構造の凹部及び凸部の配置例を示す図。
【図８】本発明の第三の塗膜転写具と事務用品の結合構造のさらなる実施形態の斜視図。
【図９】従来の事務用品一体式塗膜転写具の概略断面図。
【図１０】他の従来の事務用品一体式塗膜転写具の正面図。
【図１１】さらに他の従来の事務用品一体式塗膜転写具の概略断面図。
【図１２】装着部材に螺子山を設けた、図１１の部分断面図。
【図１３】装着部材に凹凸を設けた、図１１の部分断面図。
【符号の説明】
【００２２】
１０：事務用品一体式塗膜転写具
１２：塗膜転写具
１４：事務用品
２０，３０：装着部材
２２，２５，２７，３９：凸部
２４，２６：突起体
２８，３６，３８：凹部
３２，３７：切欠き溝
３３：留め部
３４：仕切り
３５：挿通穴
【図１】
2005096441.tif 000003
【図２】
2005096441.tif 000004
【図３】
2005096441.tif 000005
【図４】
2005096441.tif 000006
【図５】
2005096441.tif 000007
【図６】
2005096441.tif 000008
【図７】
2005096441.tif 000009
【図８】
2005096441.tif 000010
【図９】
2005096441.tif 000011
【図１０】
2005096441.tif 000012
【図１１】
2005096441.tif 000013
【図１２】
2005096441.tif 000014
【図１３】
2005096441.tif 000015